【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
外側レースを有する外側リングと、
長軸に対して前記外側リングの半径方向内側に位置し、内側レースを有する内側リングと、
前記外側リングと前記内側リングの間に設けられ、前記内側レースと前記外側レースの間に位置する複数のベアリングと、
前記外側リングと結合して、軸方向内側面と軸方向外側面を形成するシールドと、そして、
ベアリング・アセンブリの動作中に前記シールド及び前記内側リングとスライド自在に係合する浮動シールであって、金属材料とセラミック材料の少なくとも1つから構成される浮動シールと、
を備えたベアリング・アセンブリであって、
前記浮動シールが、前記内側リングと係合する弓形ベアリング面と、前記弓形ベアリング面から半径方向外側に位置する半径方向面と、前記半径方向面から半径方向外側に延在して前記シールドの前記軸方向内側面と係合する軸方向シールド面を形成するフランジとを形成し、
前記内側リングと係合する前記弓形ベアリング面が前記シールドの前記軸方向内側面と前記軸方向外側面を越えて長手方向に延在し、そして
前記浮動シールが前記外側リングと前記内側リングの間での相対的な回転中に、前記シールドと前記内側リングに対して滑動自在になるように、前記シールドが前記シールドと前記内側リングに隣接した浮動シールを抑制する 
ことを特徴とするベアリング・アセンブリ。
【請求項２】
前記浮動シールが、合金鋼とステンレス鋼の少なくとも1つで構成されていることを特徴とする請求項１に記載のベアリング・アセンブリ。
【請求項３】
前記フランジが、環状フランジであることを特徴とする請求項２に記載のベアリング・アセンブリ。
【請求項４】
前記浮動シールの前記弓形ベアリング面が、クロムめっきとセラミックコーティングの少なくとも1つで塗装されていることを特徴とする請求項１に記載のベアリング・アセンブリ。
【請求項５】
前記内側リングが、長手軸周りに前記外側リングに対して回転し、
前記シールド面が、略平面状で、前記長手軸に略直交している
ことを特徴とする請求項４に記載のベアリング・アセンブリ。
【請求項６】
前記外側リングに、溝が形成されており、
前記シールドが、前記溝に捕捉されている
ことを特徴とする請求項１に記載のベアリング・アセンブリ。
【請求項７】
前記シールドが、前記浮動シールを前記内側リングに向かって付勢する起伏のある輪郭を形成していることを特徴とする請求項１に記載のベアリング・アセンブリ。
【請求項８】
第一ベアリング部材と、
前記第一ベアリング部材に隣接する第二ベアリング部材と、
前記第一ベアリング部材と前記第二ベアリング部材との間に位置する複数のベアリングと、
前記第一ベアリング部材と係合するシールドと、
ベアリング・アセンブリの動作中に前記シールド及び前記第二ベアリング部材とスライド自在に係合する浮動シールであって、金属材料とセラミック材料の少なくとも1つから構成される浮動シールと、
を備えたベアリング・アセンブリであって、
前記浮動シールが、前記第二ベアリング部材と係合する弓形ベアリング面と、前記弓形ベアリング面から半径方向外側に位置する半径方向面と、前記半径方向面から半径方向外側に延在して前記シールドの前記軸方向内側面と係合する軸方向シールド面を形成するフランジとを形成し、
前記第二ベアリング部材と係合する前記弓形ベアリング面が前記シールドの軸方向端部を越えて長軸方向に延在し、そして
前記浮動シールが前記第一ベアリング部材と前記第二ベアリング部材の間での回転中に、前記シールドと前記第二ベアリング部材に対して移動自在になるように、前記シールドが前記シールドと前記第二ベアリング部材に隣接した浮動シールを抑制する 
ことを特徴とするベアリング・アセンブリ。
【請求項９】
前記第一ベアリング部材が、外側リングであって、
前記第二ベアリング部材が、前記外側リングの半径方向内側に設けられた内側リングである
ことを特徴とする請求項８に記載のベアリング・アセンブリ。
【請求項１０】
前記浮動シールが、合金鋼とステンレス鋼の少なくとも1つで構成されていることを特徴とする請求項８に記載のベアリング・アセンブリ。
【請求項１１】
前記浮動シール前記浮動シールの前記弓形ベアリング面が、クロムめっきとセラミックコーティングの少なくとも1つで塗装されていることを特徴とする請求項８に記載のベアリング・アセンブリ。
【請求項１２】
前記第一ベアリング部材が、長手軸周りに前記第二ベアリング部材に対して回転し、
前記シールド面が、略平面状で、前記長手軸に略直交している
ことを特徴とする請求項１１に記載のベアリング・アセンブリ。
【請求項１３】
前記第一ベアリング部材に、溝が形成されており、
前記シールドが、前記溝に捕捉されている
ことを特徴とする請求項８に記載のベアリング・アセンブリ。
【請求項１４】
前記シールドが、前記浮動シールを前記第二ベアリング部材に向かって付勢する起伏のある輪郭を形成していることを特徴とする請求項８に記載のベアリング・アセンブリ。
【請求項１５】
外側レースを有する外側リングと、
前記外側リングの半径方向内側に位置し、内側レースを有する内側リングと、
前記外側リングと前記内側リングの間に設けられ、前記内側レースと前記外側レースの間に位置する複数のベアリングと、
前記外側リングと結合するシールドと、そして、
ベアリング・アセンブリの動作中に前記シールド及び前記内側リングとスライド自在に係合する浮動シールであって、金属材料とセラミック材料の少なくとも1つから構成される浮動シールと、
を備えたベアリング・アセンブリであって、
前記浮動シールが、前記内側リングと係合する弓形ベアリング面と、前記弓形ベアリング面から半径方向外側に位置する半径方向面と、前記半径方向面から半径方向外側に延在して前記シールドと係合する軸方向シールド面を形成するフランジとを形成し、
前記内側リングと係合する前記弓形ベアリング面が前記シールドの軸方向端部を越えて長手方向に延在し、そして
前記浮動シールが前記ベアリング・アセンブリの動作中に、前記シールドと前記内側リングに対してガイド自在になるように、前記シールドが前記シールドと前記内側リングに隣接した浮動シールを抑制する 
ことを特徴とするベアリング・アセンブリ。
【請求項１６】
前記浮動シールが、合金鋼とステンレス鋼の少なくとも1つで構成されていることを特徴とする請求項１５に記載のベアリング・アセンブリ。
【請求項１７】
前記内側リングが、長手軸周りに前記外側リングに対して回転し、
前記シールド面が、略平面状で前記長手軸に略直交していることを特徴とする請求項１５に記載のベアリング・アセンブリ。
【請求項１８】
前記浮動シールの前記弓形ベアリング面が、クロムめっきとセラミックコーティングの少なくとも1つで塗装されていることを特徴とする請求項１５に記載のベアリング・アセンブリ。
【請求項１９】
前記外側リングに形成されたプレス嵌め部とリップのうちの一方によって、前記シールドが前記外側リングに形成された溝に捕捉されていることを特徴とする請求項１５に記載のベアリング・アセンブリ。
【請求項２０】
前記シールドが、前記浮動シールを前記内側リングに向かって付勢する起伏のある輪郭を形成していることを特徴とする請求項１５に記載のベアリング・アセンブリ。